(57)【特許請求の範囲】
【請求項１】
複数の主巻線及び複数の補助巻線と、複数の巻線ニードルと、結線板と、含み、
各前記主巻線及び前記補助巻線は、いずれも、ブロック鉄心と、前記ブロック鉄心に設けられたボビンとを含み、
前記主巻線及び前記補助巻線の前記ブロック鉄心が、周方向に沿って交互に分布するとともに、互いに接続してリング状に形成され、
前記主巻線及び前記補助巻線のボビンには、それぞれ主コイルと補助コイルが巻きつけられ、
前記複数の主巻線は少なくとも一つの第１主巻線と少なくとも二つの第２主巻線とを含み、
各前記第１主巻線は１の前記主コイルにより単独に巻きつけられ、少なくとも二つの前記第２主巻線は１の前記主コイルに連続して巻きつけられ、
前記補助巻線は少なくとも一つの第１補助巻線及び／又は少なくとも二つの第２補助巻線とを含み、
各前記第１補助巻線は１の前記補助コイルにより単独に巻きつけられ、少なくとも二つの前記第２補助巻線は１の前記補助コイルに連続して巻きつけられ、
前記複数の巻線ニードルは、対応する前記主コイル又は前記補助コイルのワイヤヘッドをそれぞれ引き出すように、複数の前記ボビンにそれぞれ設けられ、
前記結線板は、リング状に接続された前記複数の主巻線及び前記複数の補助巻線に取り付けられ、前記巻線ニードルの上端が、前記結線板を通過することを特徴とする分割型固定子。
【請求項２】
前記主巻線は４つであり、
前記補助巻線は４つであることを特徴とする請求項１に記載の分割型固定子。
【請求項３】
前記主巻線は、前記第１主巻線のうちの一つを含み、他はいずれも前記第２主巻線であり、
前記補助巻線は前記第１補助巻線のうちの一つを含み、他はいずれも前記第２補助巻線であることを特徴とする請求項１又は２に記載の分割型固定子。
【請求項４】
前記主巻線は前記第１主巻線のうちの一つを含み、他はいずれも前記第２主巻線であり、
前記補助巻線は複数の前記第２補助巻線のみを含むことを特徴とする請求項１又は２に記載の分割型固定子。
【請求項５】
前記複数の巻線ニードルは、
前記第１主巻線の前記ボビンに設けられた二つの第１巻線ニードルと、
前記第２主巻線のうち、最も遠位の二つの第２主巻線の前記ボビンにそれぞれ設けられた二つの第２巻線ニードルと、
前記第２補助巻線のうち、隣接する二つの前記第２補助巻線の前記ボビンにそれぞれ設けられた二つの第３巻線ニードルとを含むことを特徴とする請求項４に記載の分割型固定子。
【請求項６】
各前記ボビンは、上フレームと下フレームとを含み、
前記上フレームは、上外側円弧板と上内側円弧板とを含み、
該上内側円弧板は、第１接続部を介して前記上外側円弧板の径方向内側に設けられ、
前記上内側円弧板の頂部の両端には巻線柱が設けられるとともに、前記上フレームの前記上外側円弧板及び前記上内側円弧板の頂部には、中空の二つの第１配線柱がそれぞれ離間して設けられ、
前記下フレームは、下外側円弧板と下内側円弧板とを含み、
前記下内側円弧板は、第２接続部を介して前記下外側円弧板の径方向内側に設けられ、
前記下フレームの前記下外側円弧板及び前記下内側円弧板の底部には、中空の二つの第２配線柱が離間して設けられ、
前記上フレームは、前記下フレームの頂部に挿入して接続されるとともに、対応する前記ブロック鉄心が、前記上フレームと前記下フレームとの結合箇所に嵌合し、
前記二つの第１巻線ニードルは、それぞれ前記第１主巻線のボビンの前記上外側円弧板及び前記上内側円弧板の頂部の前記第１配線柱内に設けられ、
前記二つの第２巻線ニードルは、それぞれ前記第２主巻線のうち、最も遠位の二つの第２主巻線の前記ボビンの前記上内側円弧板の頂部の前記第１配線柱内に設けられ、
前記二つの第３巻線ニードルは、それぞれ前記補助巻線のうち隣接する二つの前記補助巻線の前記下フレームの前記下内側円弧板の底部の前記第２配線柱内に設けられ、
前記補助巻線と前記主巻線がそれぞれ交互に配列して接続された後、前記第１巻線ニードル、前記第２巻線ニードル、および前記第３巻線ニードルが、同一の平面に位置されるとともに、いずれも前記結線板に接続されていることを特徴とする請求項５に記載の分割型固定子。
【請求項７】
前記上外側円弧板と前記下外側円弧板とが上下方向において揃い、
前記上内側円弧板と前記下内側円弧板とが上下方向において揃うことを特徴とする請求項６に記載の分割型固定子。
【請求項８】
各前記ブロック鉄心の両端にそれぞれ第１位置決め部と第２位置決め部とが形成され、
一つの前記主巻線の前記ブロック鉄心の前記第１位置決め部が、その一側に隣接する前記補助巻線の前記ブロック鉄心の前記第２位置決め部と相互に結合して位置決めされ、
該第２位置決め部が、その他側に隣接する前記補助巻線の前記ブロック鉄心の前記第１位置決め部と相互に結合して位置決めされていることを特徴とする請求項１乃至７のいずれかに記載の分割型固定子。
【請求項９】
前記第１巻線ニードル、前記第２巻線ニードル、および前記第３巻線ニードルとが周方向において前記結線板の１８０度の範囲内に位置することを特徴とする請求項５乃至７のいずれかに記載の分割型固定子。
【請求項１０】
前記主巻線の前記ブロック鉄心の底端は、隣接する前記補助巻線の前記ブロック鉄心の底端に揃っていることを特徴とする請求項１乃至９のいずれかに記載の分割型固定子。
【請求項１１】
前記結線板は半リング状に形成されていることを特徴とする請求項１乃至１０のいずれかに記載の分割型固定子。
【請求項１２】
回転子軸と、前記回転子軸に設けられた回転子鉄心とを含む回転子アセンブリと、
請求項１乃至１１のいずれかに記載の分割型固定子とを含み、
前記分割型固定子は、前記回転子アセンブリの外側に嵌合し、
前記回転子アセンブリが、前記分割型固定子に対して回転可能であることを特徴とするモータ。
【請求項１３】
請求項１２に記載のモータを含むことを特徴とする家電機器。
【発明の詳細な説明】
【技術分野】
【０００１】
本発明は、家電機器に用いられるモータ分野に関し、特に分割型固定子、前記分割型固定子を有するモータ、及び前記モータを有する家電機器に関する。
【背景技術】
【０００２】
分割型モータは、主巻線と補助巻線とをそれぞれ分けて巻線し、最後に結線板で主巻線と補助巻線とを接続する。一般的に、４極モータには１２個のワイヤアウトレットヘッドがあり、円形の結線板で接続されるので、ジョイントが多く、偽溶接が現れることが多くなり、溶接の品質に大きな影響を及ぼす。また、結線板の面積が大きいため、コストアップになるとともに、面積が大きいため空気の流動性に影響を与え、モータの温度が高くなり、モータの性能に影響を与える。
【発明の概要】
【発明が解決しようとする課題】
【０００３】
本発明の目的は、従来技術における少なくとも一つの技術的課題を解決することである。本発明の一つの目的は、巻線のワイヤアウトレットポイントを減少させ、偽溶接となる可能性を減少させることができる分割型固定子を提供することである。
【０００４】
本発明のもう一つの目的は、上記分割型固定子を有するモータを提供することである。
【０００５】
本発明の更にもう一つの目的は、前記モータを有する家電機器を提供することである。
【課題を解決するための手段】
【０００６】
本発明の第１実施例による分割型固定子は、複数の主巻線及び複数の補助巻線と、複数の巻線ニードルと、結線板とを含み、各前記各主巻線及び補助巻線はいずれもブロック鉄心と、前記ブロック鉄心に設けられたボビンとを含み、前記主巻線及び補助巻線のブロック鉄心が周方向に沿って交互に分布するとともに、互いに接続されてリング状に形成され、前記主巻線及び前記補助巻線のボビンには、それぞれ主コイルと補助コイルが巻きつけられ、前記複数の主巻線は少なくとも一つの第１主巻線と少なくとも二つの第２主巻線とを含み、各前記第１主巻線は１本の前記主コイルとは別に巻きつけられ、少なくとも二つの第２主巻線は１本の前記主コイルにより連続して巻きつけられ、前記補助巻線は少なくとも一つの第１補助巻線及び／又は少なくとも二つの第２補助巻線とを含み、各前記第１補助巻線は１本の前記補助コイルとは別に巻きつけられ、少なくとも二つの前記第２補助巻線は１本の前記補助コイルに連続して巻きつけられ、前記複数の巻線ニードルは、対応する主コイル又は補助コイルのワイヤヘッドをそれぞれ引き出すように、複数のボビンにそれぞれ設けられ、前記結線板は、リング状に接続された前記複数の主巻線及び複数の補助巻線に取り付けられ、前記巻線ニードルの上端が前記結線板を通過している。
【０００７】
本発明の実施例による分割型固定子は、補助巻線を連続的に巻線し、主巻線の少なくとも一つを単独に巻線し、他を連続して巻線することにより、ワイヤアウトレット点が少なく形成されるので、結線板の面積を少なくすることができ、簡易な構造としてコストダウンすることができる。
【０００８】
本発明の一部の実施例によると、前記主巻線は４つであり、前記補助巻線は４つである。
【０００９】
本発明の一部の実施例によると、前記主巻線は前記第１主巻線うちの一つを含み、他はいずれも前記第２主巻線であり、前記補助巻線は第１補助巻線うちの一つを含み、他はいずれも第２補助巻線である。
【００１０】
本発明の一部の実施例によると、前記主巻線は前記第１主巻線うちの一つを含み、他はいずれも前記第２主巻線であり、前記補助巻線は複数の前記第２補助巻線のみを含む。
【００１１】
本発明の一部の実施例によると、前記複数の巻線ニードルは、前記第１主巻線のボビンに設けられた二つの第１巻線ニードルと、前記第２主巻線のうち最も遠位の二つの第２主巻線のボビンにそれぞれ設けられた二つの第２巻線ニードルと、前記補助巻線のうち隣接する二つ前記補助巻線のボビンにそれぞれ設けられた二つの第３巻線ニードルとを含む。
【００１２】
本発明の一部の実施例によると、各前記ボビンは、上フレームと下フレームとを含み、前記上フレームは上外側円弧板と上内側円弧板とを含み、前記上内側円弧板は、第１接続部を介して前記上外側円弧板の径方向の内側に設けられ、前記上内側円弧板の頂部の両端に巻線柱が設けられるとともに、前記上フレームの上外側円弧板と上内側円弧板の頂部には、中空の二つの第１配線柱がそれぞれ離間して設けられ、前記下フレームは下外側円弧板と下内側円弧板とを含み、前記下内側円弧板は第２接続部を介して前記下外側円弧板の径方向の内側に設けられ、前記下フレームの下外側円弧板と下内側円弧板の底部には、中空の二つの第２配線柱が離間して設けられ、前記上フレームは前記下フレームの頂部に挿入して接続されるとともに、対応する前記ブロック鉄心が前記上フレームと下フレームとの結合箇所に嵌合し、前記二つの第１巻線ニードルはそれぞれ第１主巻線のボビンの上外側円弧板と上内側円弧板の頂部の第１配線柱内に設けられ、前記二つの第２巻線ニードルはそれぞれ前記第２主巻線のうち最も遠位の二つの第２主巻線のボビンの上内側円弧板の頂部の第１配線柱内に設けられ、前記二つの第３巻線ニードルは、それぞれ前記補助巻線のうち隣接する二つの前記補助巻線の下フレームの下内側円弧板の底部の第２配線柱内に設けられ、前記補助巻線と前記主巻線がそれぞれ交互に配列され接続された後、前記第１巻線ニードル、前記第２巻線ニードル、および第３巻線ニードルは、同一の平面に位置されるとともに、いずれも結線板に接続されている。
【００１３】
前記上外側円弧板と前記下外側円弧板とが上下方向において揃い、前記上内側円弧板と前記下内側円弧板が上下方向において揃っていることが好ましい。
【００１４】
本発明の一部の実施例によると、各前記ブロック鉄心の両端にそれぞれ第１位置決め部と第２位置決め部とが形成され、一つの主巻線のブロック鉄心の第１位置決め部が、その一側に隣接する補助巻線のブロック鉄心の第２位置決め部と相互に結合して位置決めされ、その第２位置決め部が、その他側に隣接する補助巻線のブロック鉄心の第１位置決め部と相互に結合して位置決めされる。
【００１５】
本発明の一部の実施例によると、前記第１巻線ニードル、前記第２巻線ニードル、および第３巻線ニードルとが周方向において前記結線板の１８０度の範囲内に位置する。
【００１６】
本発明の一部の実施例によると、前記主巻線の前記ブロック鉄心の頂端は、隣接する補助巻線のブロック鉄心の底端に揃っている。
【００１７】
本発明の一部の実施例によると、前記結線板が半リング状に形成される。
【００１８】
本発明の実施例による分割型固定子は、巻線のワイヤアウトレット点を減少させ、偽溶接する可能性を減少させる。また、コストダウンすることができ、モータの放熱面積を増加させて、温度の上昇を避けることができる。
【００１９】
本発明の第２形態の実施例によるモータは、回転子軸と前記回転子軸に設けられた回転子鉄心とを含む回転子アセンブリと、本発明による第１形態の実施例の分割型固定子とを含み、前記分割型固定子は前記回転子アセンブリの外側に嵌合し、前記回転子アセンブリが、前記分割型固定子に対して回転可能である。
【００２０】
本発明によるモータは、分割型固定子を採用することにより、巻線効率及び生産効率を向上させ、操作も信頼性があるので、モータの稼動信頼性を向上させることができる。
【００２１】
本発明の第３形態の実施例による家電機器は、本発明の第２形態の実施例のモータを含む。
【００２２】
本発明の付加的な特徴と利点は、一部が下記の説明により与えられ、一部が下記の説明により明らかになり、又は本発明の実施により理解される。
【図面の簡単な説明】
【００２３】
本発明の上述および／または付加的な特徴と利点は、下記の添付図面を参照した実施例に対する説明により、明らかになり、容易に理解される。
【図１】本発明の実施例による分割型固定子の補助巻線の結線模式図である。
【図２】図１に示す補助巻線の斜視図である。
【図３】本発明の実施例による分割型固定子の主巻線の結線模式図である。
【図４】図３に示す主巻線の斜視図である。
【図５】本発明の実施例による分割型固定子の斜視図である。
【図６】本発明の実施例による分割型固定子における結線板の模式図である。
【発明を実施するための形態】
【００２４】
以下、本発明の実施例を詳細に説明する。前記実施例が図面に示されるが、同一または類似する符号は、常に、相同又は類似する部品、或いは、相同又は類似する機能を有する部品を表す。以下、図面を参照しながら説明される実施例は例示的なものであり、本発明を解釈するためのみに用いられ、本発明を限定するものと理解されてはならない。
【００２５】
本発明の説明において、「中心」、「縦方向」、「横方向」、「上」、「下」、「前」、「後」、「左」、「右」、「鉛直」、「水平」、「頂」、「底」、「内」、「外」などの用語が示す方位又は位置関係は、図面に示す方位又は位置関係に基づき、本発明を便利にまたは簡単に説明するために使用されるものであり、指定された装置又は部品が特定の方位にあり、特定の方位において構造され操作されると指示又は暗示するものではないので、本発明に対する限定と理解してはならない。なお、「第１」、「第２」の用語は目的を説明するためのみに用いられるものであり、比較的な重要性を指示又は暗示するか、或いは示された技術的特徴の数を黙示的に指示すると理解してはならない。「第１」、「第２」が限定されている特徴は、一つ又はより多くの前記特徴を含むことを明示又は暗示する。本発明の説明において、明確且つ具体的な限定がない限り、「複数」とは、二つ又は二つ以上のことを意味する。
【００２６】
なお、本発明の説明において、明確な規定と限定がない限り、「取り付ける」、「互いに接続する」、「接続する」等の用語の意味は広く理解されるべきである。例えば、固定接続や、着脱可能な接続や、あるいは一体的な接続でもよい。機械的な接続や、電気的な接続も可能である。直接的に接続すること、中間媒体を介して間接的に接続すること、二つの部品の内部が連通すること等も可能である。当業者にとって、具体的な場合に応じて上記用語の本発明における具体的な意味を理解することができる。
【００２７】
以下、図１を参照して、本発明の第１形態の実施例による分割型固定子を説明する。前記分割型固定子は、例えば、単相コンデンサ非同期モータに用いられることができる。
【００２８】
本発明の実施例の分割型固定子１００は、複数の主巻線Ａ及び複数の補助巻線Ｂと、複数の巻線ニードルと、結線板４とを含む。図１〜図４に示すように、各主巻線Ａ及び補助巻線Ｂは、いずれもブロック鉄心１及びブロック鉄心１に設けられたボビン２を含み、主巻線Ａ及び補助巻線Ｂのブロック鉄心１が周方向に沿って交互に分布され、且つお互いに接続されてリング状に形成され、複数のブロック鉄心１を固定子鉄心全体に組み合わせる。
【００２９】
主巻線Ａのボビン２に主コイル１０ａが巻きつけられ、主巻線Ａは少なくとも一つの第１主巻線Ａ１と少なくとも二つの第２主巻線Ａ２とを含む。各第１主巻線Ａ１は、いずれも１本の主コイル１０ａにより単独に巻きつけられ、少なくとも二つの第２主巻線Ａ２は順次に１本の主コイル１０ａにより連続して巻きつけられている。図３と図４に示すように、補助巻線Ｂのボビン２に補助コイル１０ｂが巻きつけられ、補助巻線Ｂは少なくとも一つの第１補助巻線（図示せず）及び／又は少なくとも二つの第２補助巻線Ｂ２とを含む。各第１補助巻線はいずれも１本の補助コイル１０ｂにより単独に巻きつけられ、少なくとも二つの第２補助巻線Ｂ２は順次に１本の補助コイル１０ｂにより連続して巻きつけられる。
【００３０】
主巻線Ａのブロック鉄心１の頂端部は、隣接する補助巻線Ｂのブロック鉄心１の底端部に揃っている。
【００３１】
複数の主巻線Ａのボビン２及び補助巻線Ｂのボビン２は周方向に沿って交互に分布することにより、補助巻線Ｂと主巻線Ａとが交互に配列され接続されてリング状に形成され、各主ボビン１１ａの頂部表面とそれに隣接する補助ボビン１１ｂの底部表面とが同一の平面に位置する。
【００３２】
対応する主コイル１０ａ又は補助コイル１０ｂのワイヤヘッドを引き出すように、複数の巻線ニードルが複数のボビン２にそれぞれ設けられており、結線板４は、リング状に接続された複数の主巻線Ａと複数の補助巻線Ｂに取付けられ、巻線ニードルの上端が結線板４を通過する。
【００３３】
本発明の実施例による分割型固定子１００は、補助巻線を連続して巻線し、主巻線の少なくとも一つを単独に巻線するとともに、他の主巻線を連続して巻線することにより、ワイヤアウトレット点が少なく形成され、結線板の面積を少なくし、簡易な構造としてコストダウンすることもできる。
【００３４】
図１〜図５の実施例に示すように、主巻線Ａは４つであり、補助巻線Ｂは４つである。４つの主巻線Ａと４つの補助巻線Ｂとが交互に設けられている。しかし、本出願の説明及び図１〜図５において、いずれも４つの主巻線Ａと４つの補助巻線Ｂを示して例示的に説明する目的に用いられるが、当業者は本出願の明細書における技術案を閲覧した後、この技術案をより少ない又はより多い主巻線Ａと補助巻線Ｂの技術案に適用することができ、これも明らかに本発明の保護範囲に属すべきである。
【００３５】
一部の実施例において、主巻線Ａは一つの第１主巻線Ａ１を含み、他はいずれも第２主巻線Ａ２である。補助巻線Ｂは一つの第１補助巻線を含み、他はいずれも第２補助巻線Ｂ２である（図示せず）。本発明の他の一部の実施例において、主巻線Ａは一つの第１主巻線Ａ１を含み、他はいずれも第２主巻線Ａ２である。補助巻線は複数の第２補助巻線Ｂ２のみを含み、第１補助巻線を含まない。図１〜図５に示す例において、主巻線Ａは、一つの第１主巻線Ａ１と三つの第２主巻線Ａ２とを含む。一つの第１主巻線Ａ１は単独に巻かれ、三つの第２主巻線Ａ２は順次に連続して巻きつけられ、補助巻線Ｂは連続して巻きつけられた４つの第２巻線Ｂ２を含む。以下にも、この巻き方を例として本発明の分割型固定子を説明する。
【００３６】
勿論、本発明は上記の二つの場合に限定されない。他の類似の巻き方の場合、例えば、上記主巻線と補助巻線の多種の巻き方の順列組み合わせ等も、本発明の保護範囲に属すると当業者に理解されるべきである。
【００３７】
本発明の一部の実施例によると、複数の巻線ニードル３は、二つの第１巻線ニードル３ａと、二つの第２巻線ニードル３ｂと、二つの第３巻線ニードル３ｃとを含む。第１巻線ニードル３ａは第１主巻線Ａ１のボビン２に設けられ、二つの第２巻線ニードル３ｂはそれぞれ第２主巻線Ａ２のうち最も遠位の二つの第２主巻線Ａ２のボビン２に設けられ、二つの第３巻線ニードル３ｃはそれぞれ第２補助巻線Ｂ２の内隣接する二つの第２補助巻線Ｂ２のボビン２に設けられている。
【００３８】
本発明の一つの具体的な実施例において、図２と図４に示すように、各ボビン２は、上フレーム２１と下フレーム２２とを含む。上フレーム２１は上外側円弧板２１１と上内側円弧板２１２とを含み、上内側円弧板２１２は第１接続部２１３を介して上外側円弧板２１１の径方向の内側に設けられている。本発明の説明において、径方向の「内側」とは、接続フレーム３の径方向に沿って内側に向ける側を指すのに対し、「外側」とは、接続枠３の径方向に沿って外側に向ける側を指す。上内側円弧板２１２の頂部の両端に巻線柱２１５が設けられることにより、複数の第２主巻線Ａ２の間の渡り線５ａと第２補助巻線Ｂ２の間の渡り線５ｂとを巻くことが便利になる。上フレーム２１の上外側円弧板２１１と上内側円弧板２１２の頂部にそれぞれ二つの離間された中空の第１配線柱２１４が設けられている。
【００３９】
下フレーム２２は、下外側円弧板２２１と下内側円弧板２２２とを含み、下内側円弧板２２２は第２接続部（図示せず）を介して下外側円弧板２２１の径方向の内側に設けられ、下フレーム２２の下外側円弧板２２１と下内側円弧板２２２の底部に二つの離間された中空の第２配線柱２２４が設けられている。上フレーム２１は下フレーム２２の頂部に挿して接続され、対応するブロック鉄心１は、上フレーム２１と下フレーム２２との結合箇所に嵌合している。
【００４０】
図１〜図５に示すように、二つの第１巻線ニードル３аは、それぞれ第１主巻線Ａ１のボビン２の上外側円弧板２１１と上内側円弧板２１２の頂部の第１配線柱２１４内に設けられている。二つの第２巻線ニードル３ｂは、それぞれ第２主巻線Ａ２のうち最も遠位の二つの第２主巻線Ａ２のボビン２の上内側円弧板２１２の頂部の第１配線柱２１４内に設けられている。二つの第３巻線ニードル３ｃは、それぞれ第２補助巻線Ｂのうち二つの隣接する第２補助巻線Ｂの下フレーム２２の下内側円弧板２２２の底部の第２配線柱２２４内に設けられている。なお、補助巻き線Ｂと主巻線Ａとがそれぞれ交互に配列され接続された後、第１巻線ニードル３ａと、第２巻線ニードル３ｂと第３巻線ニードル３ｃとが同一の平面に位置し、いずれも結線板４に接続されている。
【００４１】
すなわち、主巻線Ａの第１巻線ニードル３ａ及び第２巻線ニードル３ｂは、巻線柱２１５と同一の方向であるが、補助巻線Ｂの第３巻線ニードル５ｃは巻線柱２２と反対の方向である。本発明の分割型固定子において、主巻線Ａのボビン２は補助巻線Ｂのボビンと反対の方向に設置されている。補助巻線Ｂの第３巻線ニードル５ｃを巻線柱２１５と異なる側に設ける利点は、結線板４の配線が便利になり、また補助巻線Ｂが複数の補助コイルにより巻かれたコイルであるため、補助巻線Ｂの間のブリッジ線も複数となることである。これにより、ワイヤヘッドを第３巻線ニードル５ｃに溶接する場合、溶解された半田がブリッジ線に落ちて、複数のブリッジ線が接続されショートすることを避けることができる。
【００４２】
図１〜図５に示すように、上外側円弧板２１１と下外側円弧板２２１とが上下方向において揃い、上内側円弧板２１２と下内側円弧板２２２とが上下方向において揃っていることが好ましい。これにより、構造が整え、ブロック鉄心１を確実に固定することができる。
【００４３】
本発明の一部の実施例によると、各ブロック鉄心１の両端には、それぞれ第１位置決め部１１と第２位置決め部１２が形成されている。一つの主巻線の第１位置決め部１１はその一側に隣接する補助巻線の第２位置決め部１２と相互に結合して位置決めされ、その第２位置決め部１２はその他側に隣接する補助巻線の第１位置決め部１１と相互に結合して位置決めされる。第１位置決め部１１は、ブロック鉄心１の一端から外へ伸びる突出部に形成され、第２位置決め部１２はブロック鉄心１の他側から内へ凹んで形成された凹部であることが好ましい。これにより、複数のブロック鉄心１が組み立てた後周方向にスムーズに転移し、他の部品の装着が便利になる。
【００４４】
第１巻線ニードル３ａ、第２巻線ニードル３ｂ、および第３巻線ニードル３ｃが、周方向において結線板４の１８０度の範囲内に位置することが好ましい。更に、結線板４は半リング状に形成することが好ましい。
【００４５】
以下、図１−図５を参照しながら、本発明の一部の具体的な実施例による分割型固定子のワイヤアウトレット方法を説明する。
【００４６】
図１と図２に示すように、複数の補助巻線Ｂ２の補助コイル１０ｂを巻線機（図示せず）により連続的に巻線し、隣接する二つの第２補助巻線Ｂ２の間の渡り線５ｂは巻線柱２１５に掛けられ、図６に示すように、ワイヤヘッドとワイヤテールとを渡り線５ｂの反対側にある巻線ニードル３ｃに巻きつけ、二つのワイヤアウトレットヘッドが形成される（三段変速モータでは、二つのタップに、ワイヤヘッドとワイヤテールとを加えて、合計４つのワイヤアウトレットヘッドであり、単一速度モータでは二つのワイヤアウトレットヘッドである）。図３と図４に示すように、一つの第１主巻線Ａ１は単独に巻線して二つのワイヤアウトレットヘッドが形成され、三つの第２主巻線Ａ２は連続的に巻線して二つのワイヤアウトレットヘッドが形成される。三つの第２主巻線Ａ２の渡り線５ａは巻線柱２１５に掛けられ、主コイル１０ａのワイヤヘッドとワイヤテールは、渡り線５ａと同一の側に位置する巻線ニードル３ｂに巻きつけられ、即ち、主巻線Ａは４つのワイヤアウトレットヘッドを有する。図５に示すように、主巻線Ａと補助巻線Ｂとは対向して挿された後、ワイヤアウトレットヘッドは同一の平面において溶接されて完全な固定子が形成される。その後、半リング状の結線板を用いて接続され、図６に示すように一つの分割型固定子アセンブリになる。
【００４７】
これにより、本発明の実施例の分割型固定子によると、巻線のワイヤアウトレット点を減少させ、偽溶接の可能性を減少させる。また、コストダウンさせ、モータの放熱面積を向上させ、温度の上昇を避けられることができる。
【００４８】
本発明の第２形態の実施例によるモータは、回転子アセンブリ（図示せず）と分割型固定子とを含む。分割型固定子は、本発明の第１形態の実施例に説明された分割型固定子である。回転子アセンブリは、回転子軸と回転子軸に設けられた固定子鉄心とを含む。分割型固定子は回転子アセンブリの外側に嵌合し、前記分割型固定子に対して回転可能である。本発明の実施例によるモータの他の構成、例えば、回転子鉄心と回転子軸等及び操作は、当業者にとって周知されているため、ここで詳しく説明しない。
【００４９】
本発明のモータによると、上記実施例における分割型固定子を用いることにより、巻線効率と生産効率を向上させることに加え、操作も信頼性があるため、モータの稼動の信頼性を向上させる。
【００５０】
本発明の第３形態の実施例による家電機器、例えば、変速扇風機等は、本発明の第２形態の実施例によるモータを含む。
【００５１】
本発明の説明において、「一つの実施例」、「一部の実施例」、「例示的な実施例」、「示例」、「具体的な示例」、或いは「一部の示例」などの用語を参考した説明は、該実施例或いは示例に結合して説明された具体的な特徴、構成、材料或いは特徴が、本発明の少なくとも一つの実施例或いは示例に含まれる。本明細書において、上記用語に対する例示的な描写は、必ずしも同じ実施例或いは示例を示すことではない。又、説明された具体的な特徴、構成、材料或いは特徴は、いずれか一つ或いは複数の実施例又は示例において適切に結合することができる。
【００５２】
本発明の実施例を示して説明したが、当業者は、本発明の原理及び主旨から逸脱することなく、これらの実施例に対して各種の変化、補正、切り替え及び変形を行うことができる。本発明の範囲は、特許請求の範囲及びその等価物により限定される。
【符号の説明】
【００５３】
１００    分割型固定子
Ａ        主巻線
Ｂ        補助巻線
１        ブロック鉄心
１１      第１位置決め部
１２      第２位置決め部
１０ａ    主コイル
１０１ａ  主コイルのワイヤアウトレットヘッド
１０ｂ    補助コイル
１０１ｂ  補助コイルのワイヤアウトレットヘッド
２        ボビン
２１      上フレーム
２１１    上外側円弧板
２１２    上内側円弧板
２１４    第１配線柱
２１５    巻線柱
２２      下フレーム
２２１    下外側円弧板
２２２    下内側円弧板
２２４    第２配線柱
３ａ      第１巻線ニードル
３ｂ      第２巻線ニードル
３ｃ      第３巻線ニードル
４        結線板
５ａ      主渡り線
５ｂ      補助渡り線
【図１】
0006422577.tif 000002
【図２】
0006422577.tif 000003
【図３】
0006422577.tif 000004
【図４】
0006422577.tif 000005
【図５】
0006422577.tif 000006
【図６】
0006422577.tif 000007